(57)【要約】【課題】輪ゴムをつなぐ連結具は既にある。しかし、輪ゴムと連結具を数多く利用し、次々と空中をつないでゆく使い勝手の良い玩具はない。【解決手段】紐体を収納する保持空間と、その保持空間の周りを囲う保持軸と、紐体が保持空間に入る保持軸途中の入口部とで構成される保持プレートを有し、保持軸の一部に整列部を設け、整列柱材により複数の保持プレートの整列部をつないだことを特徴とする輪ゴムの連結玩具。【選択図】  図１
2015066179.tif 000002
【特許請求の範囲】
【請求項１】
紐体を収納する保持空間と、その保持空間の周りを囲う保持軸と、紐体が保持空間に入る保持軸途中の入口部とで構成される保持プレートを有し、保持軸の一部に整列部を設け、整列柱材により複数の保持プレートの整列部をつないだことを特徴とする輪ゴムの連結玩具。
【請求項２】
請求項１記載の連結玩具であって、整列柱材に複数の保持プレートの整列部をつなぐ際に整列余裕空間を形成することを特徴とする輪ゴムの連結玩具。
【請求項３】
請求項１記載の連結玩具であって、整列柱材に整列帯を有し、複数の保持プレートの整列部をつなぐことを特徴とする輪ゴムの連結玩具。
【請求項４】
請求項１記載の連結玩具であって、整列柱材が円柱状であり、複数の保持プレートの整列部を貫きつなぐことを特徴とする輪ゴムの連結玩具。
【請求項５】
請求項１記載の連結玩具であって、保持プレート入口部の片側先端がもう一方に挟まれる形状であることを特徴とする輪ゴムの連結玩具。
【発明の詳細な説明】
【技術分野】
【０００１】
本発明は輪ゴムとつなぐ連結玩具に関する。
【技術背景】
【０００２】
従来の連結具に輪ゴム止めがある。（例えば特許文献１を参照）
従来の連結具に輪ゴムの支持具がある。（例えば特許文献２を参照）
また連結具と類似した構造にアルバムがある。（例えば特許文献３を参照）
【先行技術文献】
【特許文献】
【０００３】
【特許文献１】実用新案登録第３１１６６８１号公報
【特許文献２】実開平６−２４５８７号公報
【特許文献３】特開２００２−３２１４６６号公報
【発明の概要】
【発明が解決しようとする課題】
【０００４】
輪ゴムをつなぐ連結具は既にある。しかし、輪ゴムを数多く利用し、次々と空中をつないでゆく専用の連結玩具はない。輪ゴムと連結玩具をつなぐことで三次元立体が成形されるが、三次元立体の成形を意図した連結玩具はない。また、空中に立体を成形した後も、輪ゴムの特性を使い、伸ばす、揺らすなどの動きをつけ遊ぶが、その遊び方を想定した連結玩具もない。
【課題を解決するための手段】
【０００５】
請求項１の発明は、紐体を収納する保持空間と、その保持空間の周りを囲う保持軸と、紐体が保持空間に入る保持軸途中の入口部とで構成される保持プレートを有し、保持軸の一部に整列部を設け、整列柱材により複数の保持プレートの整列部をつないだことを特徴とする輪ゴムの連結玩具。
請求項１記載の連結玩具であって、整列柱材に複数の保持プレートの整列部をつなぐ際に整列余裕空間を形成することを特徴とする輪ゴムの連結玩具。
請求項１記載の連結玩具であって、整列柱材に整列帯を有し、複数の保持プレートの整列部をつなぐことを特徴とする輪ゴムの連結玩具。
請求項１記載の連結玩具であって、整列柱材が円柱状であり、複数の保持プレートの整列部を貫きつなぐことを特徴とする輪ゴムの連結玩具。
請求項１記載の連結玩具であって、保持プレート入口部の片側先端がもう一方に挟まれる形状であることを特徴とする輪ゴムの連結玩具。
【発明の効果】
【０００６】
当発明は、空中で遊ぶ輪ゴムの連結玩具である。創造性を育み、コミュニケーションを生む。遊びがアート的であり、体を大きく使うこともあり、健康的で生活の楽しみを増加させるという効果がある。
空中に多くの輪ゴムをつなぎあわせて成形物を作る場合、輪ゴムの大きさが限られているため、輪ゴムと輪ゴムとをつなぐ中継具があると重宝する。その中継は、２本の輪ゴム間であったり、３本以上の輪ゴム間であったりする。空中では、輪ゴムは三次元方向に延びることが前提のため、３Ｄに対応した連結玩具があると使い勝手がよく、また美しい立体が成形できる。従来からの連結フックは二本の紐体連結を意識して作られているので、３Ｄ成形に合わない。
当発明は、輪ゴムの３Ｄ対応する中継構造を備える。使い勝手がよく見栄え的にも美しい３Ｄ成形ができる。また、立体成形後は輪ゴムが外れにくい構造を備えている。幼児でも高齢者でも、ひとりであっても多くの人たちであっても、狭い場所でも広い場所でも、空中に立体を作ってゆく、全く新しい、健康的で創造的な遊びが実現できる。
【図面の簡単な説明】
【０００７】
【図１】本発明の例。４枚保持プレート、４本の輪ゴムを中継している斜視図。
【図２】保持プレートの斜視図。（ａ）保持プレート単体（ｂ）４枚保持プレートの連結玩具
【図３】本発明の例。４枚保持プレート、２本の輪ゴムを中継している斜視図
【図４】整列部と整列柱材の接続例。    （ａ）整列部が細くなっている接続拡大図    （ｂ）整列柱材が凹凸状になっている接続拡大図
【図５】整列部と整列柱材の接続例。    （ａ）端の整列柱材の斜視図    （ｂ）中間の整列柱材の斜視図    （ｃ）本発明の例。整列帯による連結玩具の斜視図
【図６】本発明の例。円筒状の整列帯、整列部を長い幅の整列帯通路で貫く例。
【図７】本発明の例。整列部を円柱状の整列柱材で貫く例。
【図８】本発明の例。屏風状につないだ例。    （ａ）折りたたんだ状態の斜視図    （ｂ）展開した状態の斜視図
【図９】４枚保持プレートの展開例、整列柱材の軸方向からの正面イメージ図。    （ａ）３方向に展開したイメージ図    （ｂ）２方向に展開したイメージ図    （ｃ）波型保持プレートを２方向に展開したイメージ図
【図１０】入口部の拡大図。    （ａ）保持空間に突出している入口部の先端の斜視図（ｂ）保持空間に突出していない入口部の二股先端の斜視図（ｃ）保持空間に突出している入口部の二股先端の斜視図
【図１１】保持プレートの例。    （ａ）保持軸に凹凸を利用した溝のついた保持プレートの斜視図    （ｂ）保持軸が抉られた入口部を持つ保持プレートの斜視図    （ｃ）複数の保持空間を持つ保持プレートの斜視図
【図１２】本発明の例。（ａ）四分の一円の８枚の保持プレートを持つ例（ｂ）デザインを施した保持プレートの例
【発明を実施するための形態】
【０００８】
以下、本発明である連結玩具の一実施形態を説明する。
図１〜図３は、４枚の保持プレートを持つ連結玩具の外観図である。保持プレートの形を略半円とし、それぞれの保持プレートには、それぞれ１つずつの保持空間を持っている。連結された輪ゴムを外方向に引っ張る際に、輪ゴムと保持軸との接点は、ほとんどの場合、円弧状の部分となる。場合により円弧上ではなく直径部分の保持軸が接点となる。
保持空間に輪ゴムが入る入口部を４枚とも円弧上に有しているが、それぞれの円弧上の同じ位置がよい。複数枚の保持プレートに同時に輪ゴムを入れることができるからである。
【０００９】
まず、保持プレートを整列させ、ひとつの連結玩具とする方法を説明する。
図２（ａ）は、輪ゴムと連結していない状態の保持プレートである。左側にある円の直径に当たる部分の背もしくは背付近が整列部となる。図２（ｂ）は、保持プレートが重なり、背が整列し、４枚の保持プレートの背もしくは背付近の整列部が整列柱材により接続されている状態である。
図４は、厚さの異なる４枚の保持プレートを重ね、その整列部に整列柱材が接続している部分の拡大図である。図４（ａ）は整列柱材と接続する整列部の接触面を小さくした例である。整列部が細くなっている。図４（ｂ）は整列柱材を凹凸状とし、凸状部に整列部を接続させている例である。いずれも、保持プレートを展開してゆく際には、あたかもすだれを巻くように整列柱材は巻かれてゆく形状となる。整列柱材が平面状であり、かつ隙間なく次々と整列部が接続される場合には、整列柱材の伸縮部分がほとんどない。そのため、展開する際に整列柱材の伸びしろが小さく、展開操作が窮屈となる。従って、整列部の接続間隔をやや広く持つようにする。その間隔を広くするために図４（ａ）もしくは図４（ｂ）の接続方法をとっているのである。即ち、整列余裕空間を持ち、その空間内の整列柱材部分で伸縮性を持たせるのである。
【００１０】
整列部と整列柱材との接続方法は、接着剤やテープによる接合が一般的である。より強度を持たせるため、糸による編み合わせや、鉤釘などを使い接合させることもできる。
図５は、整列柱材の一部である整列帯を有する連結玩具例である。図５（ａ）は、整列させた際に端に位置づく保持プレートと接続する整列柱材である。２つの整列帯を有している。この場合、整列帯は適当に延びる材質である。両端の保持プレート整列部はその整列帯で結ばれている。図５（ｂ）は、整列させた際に中間に位置づく保持プレートと接続する整列柱材である。整列帯が通過できる整列帯通路を持ち、保持プレートの整列部と接続される際には整列帯通路の中に整列帯が納まる形状とする。図５（ｃ）は、４枚の保持プレートをもち、接続に整列帯を有する整列柱材を使った連結玩具の斜視図である。整列帯を伸ばしながら保持プレートを展開している。保持プレートの整列部と整列柱材は一体成型をしてもよい。
【００１１】
図６は、硬質の整列帯であり円筒状にしている例である。全ての保持プレートに円筒の側面が入り込むことのできる長い整列帯通路を持つ構造としている。保持プレートの整列部と整列帯通路を持つ整列柱材を一体成型し、大きく側面が開く構造の整列帯を、成形後の整列帯通路に嵌めこむ構成でもよい。
図７は整列柱材が円柱軸状であり、その円柱軸を包み込む形状の保持プレート整列部を持つ例である。包み込む形状は、円柱をすっぽり入れる円筒状でも、保持プレートが円柱から外れない程度の隙間があいたＣ字状円筒でもよい。図７は、外側、中間、内側に配置される３枚の保持プレートが円柱軸状の整列柱材により整列部を貫かれ、整列されている状態の連結玩具である。
【００１２】
図８は、屏風のように、隣り合わせの保持プレート整列部を整列柱材でつなぎ、ひとつ先の隣り合わせの保持プレートは、保持プレートの反対方向の一部にある整列部を整列柱材でつないでゆく構造としている。屏風のように保持プレートを交互につないだ後は、図８（ｂ）のように展開される。
図１から図８までの形態は、整列柱材により接続された保持プレートが回転できる構造となる。整列柱材は、場合により布のように柔らかな材質でもよく、また場合により硬い材質でもよい。柔らかな場合でも、保持プレートの整列部に接続された整列柱材の状態は、あたかも柱のように硬い状態となるため、整列柱材という言葉を使う。
【００１３】
ここからは、保持プレートを展開する説明をする。
図１は、連結した輪ゴムを左前やや下、後ろ、上、右の４方向に引っ張った状態である。図２（ｂ）の上下端の保持プレート２枚を左側にまとめているため、３枚の保持プレートのように見える。上向きと右向きの保持プレートは１枚である。それぞれの入口部から輪ゴムを挿入させ、それぞれの輪ゴムを目的方向に引っ張れば、つながっている保持プレートが整列部の軸を中心に回転してゆき、輪ゴムの引っ張る方向とバランスをとっている。さらに輪ゴムの引っ張る方向を変化させれば、そのベクトル変化に伴い、保持プレートの展開角度が変化してゆく。即ち連結玩具の形状がダイナミックに変化するのである。保持プレートの枚数は任意である。
【００１４】
図３は、連結玩具が２本の輪ゴムを中継している概略図である。保持プレートは２枚ずつ左右に分かれている。整列柱材を介し、左右の保持プレートが１８０度開いている。２本の輪ゴムで左右に引っ張っている連結玩具の状態は、平面的なフックのように見える。左右の輪ゴムを引っ張った状態で、左右水平方向を軸として、連結玩具を上から前、前から下という回転を加える。数多くの回転を連結玩具に与え、その後手を離せば、輪ゴム特有の捻じれ復元力に応じた回転をする。保持プレートに配色を施せば、回転による色変化が楽しめる。また、前後軸となっている整列柱材を手で挟み、下に引っ張り、その後手を離せば、輪ゴムの復元力で大きな揺れが生じることになる。輪ゴムと連結玩具の数が多くなればなるほど揺れがゆったりとすることになり、癒やしの動きを醸しだす。
また、前後軸となっている整列柱材を手で挟み下に引っ張る際に、小さなボールなどを保持プレートに上にあてがっておき手を離せば、ボールなどの発射装置になる。シューティングゲームになる。
また、連結された状態での重なった保持プレートの間などに、簡単なメモなどを挟み込むこともできる。部屋であれば、空中インテリアとして利用もできる。
【００１５】
図９は、４枚の保持プレートを持つ連結玩具において、保持プレートを展開した際の整列柱材の軸方向を正面として見たイメージ図である。図９（ａ）は４枚の保持プレートの両サイドの２枚を合わせている。両サイドの保持プレートには、接する際に位置合わせを望む箇所に磁石などを設けておくと都合がよい。ピッタリと２枚の保持プレートが接触できる。
さて、輪ゴム連結をして遊ぶ際に、連結玩具から出る輪ゴム紐の幅が重要になることがある。輪ゴム紐の幅とは、輪ゴムが保持軸を介し両サイドに分かれる、その間隔である。輪ゴムと連結玩具とで作ってゆく立体は、その輪ゴム紐の幅、間隔が規格化されていると見栄えが良い。即ち、保持プレートの厚さが幅を決めることになり、重要となる。規格化された間隔に合わせた遊びが創造できるのである。輪ゴム幅を利用したレール遊びなどである。図９（ａ）では、両サイドの保持プレートの厚さを、中間の保持プレートとの厚さの半分としており、両サイドが合わさった際に中間の保持プレート厚さと同じになる例である。
【００１６】
図９（ｂ）は、２枚ずつの保持プレートが左右に分かれている例である。
図９（ｃ）は、重なる保持プレートを安定した決められた位置で納まるよう、保持プレートに波型を施している。保持プレートが合致する形状をそれぞれに施すことで、決まった位置に納まりやすい。保持プレートを展開してゆく際に、連結玩具に見栄え的な調整をしたい場合がある。その調整操作が楽になる。また、遊びを終えた後、連結玩具を収納する際にも整然とすることができ重宝する。
【００１７】
輪ゴムの連結方法を説明する。
入口部は輪ゴムが入りやすく出にくい構造としている。出にくい外れにくい構造になっていない場合、遊びが興ざめすることが多い。これは、成形中もしくは成形後にかかわらず、多くの輪ゴムと連結玩具で作られた成形体の一箇所が、例えば断線などの理由により崩れる場合がある。崩れた瞬間、連結している輪ゴムや連結玩具が、一斉に安定状態になろうとする。時間的にはほぼ一瞬にして崩れた反動が成形体全体に伝わってゆく。特に強く引っ張っている輪ゴムが切れた場合など反動が激しい。その際に他の輪ゴムの連結箇所が外れることになっては大変である。時間を掛け連結させてきたもの全体が大きく崩れてしまう。出にくい外れにくい構造をとっていない連結具の場合には、本当に残念な状態、連結玩具と輪ゴムがバラバラ状態になってしまう。それを避けるために、一旦挿入された輪ゴム、即ち保持空間に入った輪ゴムは、出にくい外れにくい構造としているのである。
【００１８】
成形後には、輪ゴム特有のダイナミックな動きをさせるため、一部を強くひねったり引っ張ったり回転をさせたり、大きな負荷を掛けるようになる。その際にも極力外れにくい構造が重宝がられるのである。
外れにくい構造ではあるが、外したいという意思がある場合には簡単に外れる。保持空間に入っていない輪ゴムの紐状部分を、１度目と同じように入口部から挿入すればよい。１度目の挿入操作では保持空間に輪ゴム紐が入ってしまうが、２度目の挿入操作をすれば、外れることとなる。理由は、１度目の挿入操作では輪ゴムのリングと保持軸のリングが交互にクロスする状態、トポロジー的につながった状態となるが、２度目の挿入操作によって、保持軸のリングの内側に輪ゴムのリングがそのまますっぽりと入りこんでしまう状態となるからである。
この操作も遊びとしておもしろい。
【００１９】
入口部の特徴を説明する。
連結を簡単に行うために、入口部の外側は口広となっている。輪ゴム紐をあてがいやすくしている。口広の部分に輪ゴムがあてがわれた後、保持空間方向に輪ゴムを引っ張る。すぐに入口部は輪ゴム径よりも狭くなり、輪ゴムの進行を阻止する状態となる。さらに輪ゴムを保持空間方向に引っ張ることで、入口部先端が変形し入口部間隔が広がるもしくは輪ゴム径が細くなる。この双方もしくはいずれかの状態変化により、輪ゴムが入口部を通過し保持空間に入り込む。
【００２０】
一旦保持空間に入った輪ゴム紐が出にくい外れにくい構造である連結玩具とするには、輪ゴム紐が入って来た入口部から戻りにくくする方法がある。戻りにくい入口部の先端構造として、図１０（ａ）の突出形状がある。一旦入った輪ゴムは、入って来た先端にあたらないよう返しがついている構造である。また図１０（ｂ）に、入口部片側の先端が二股に分かれ、もう一方の先端をその二股で挟んでいる構造がある。これにより、先端形状が複雑なため輪ゴム紐が簡単にあてがわれないという効果に加え、先端を左右方向の力に対し強くすることができ、輪ゴム紐が左右方向に引っ張っても出にくい構造となっているのである。また、その２つを組み合わせた、図１０（ｃ）保持空間に突出しさらに先端が挟み込みの形状も、外れにくい構造として機能的に優れている。いずれも連結玩具としては実用に耐えうる。
【００２１】
連結玩具の材質は様々なものが考えられる。保持プレートには、各種の合成樹脂、硬質紙、天然木、竹材、厚紙などが考えられる。さらには金属でも構わない。また、入口部や保持軸などは、その形状と必要強度もしくは利用シーンにより、材質を選択すればよい。整列柱材の素材についても、保持プレートと同じ材質であってもなくてもよい。保持プレートとの接続の相性や強度などにより選択をすればよい。ただし、保持プレートを展開させるために伸縮が必要な整列柱材や整列帯には、柔軟な材質である合成樹脂、ゴム、布などがよい。
連結玩具の製造方法としては、保持プレートと整列柱材を別々に製作しその後に接続する方法と、保持プレートと整列柱材との一体成形を一部もしくは全部に施す方法がある。
【００２２】
連結玩具の全体形状は、遊ぶひとの安全や輪ゴムを傷つけない様、鋭利な部分がないことが必要である。柔らかな曲線で表面が形成されていることを特徴とする。即ち、連結玩具のいずれの断面も極力滑らかな作りがよい。
【００２３】
遊びとしては、バリエーションがあったほうがよい。
図１１は、保持プレートのバリエーションを示す。図１１（ａ）は、保持軸の一部に輪ゴム紐用の溝をつけた例である。立体成形をする遊びで、連結玩具から輪ゴムを引っ張る方向は重要である。図１１（ａ）では、やや広めの保持軸であり、特に輪ゴム紐を留めたい箇所に凹凸利用で溝を施し、さらに角度のガイド表示をしている。溝に入り引っ張られている輪ゴム紐は、少々の振動ではその溝から位置を変えることはない。
【００２４】
図１１（ｂ）は入口部のバリエーションである。半円の保持プレートの直径にあたる部分の保持軸に、片側からの先端が入り込んでいる形状である。直径にあたる部分の保持軸は、片側先端が入り込むように抉られた形状としている。輪ゴムの紐体はその抉られた部分を、片側先端を押しながら、輪ゴム径を細めながら保持空間に入る。保持空間に入った輪ゴムは、入口部の先端に触れることが難しく、即ち出にくい形状の入口部となっている。また、円周部の保持軸には入口部がないため、円周部内側が滑らかな形状であり、使いやすくもなる。図１１（ｃ）は、１枚の保持プレートに複数の保持空間を持つ例である。デザイン的にも面白いものとなる。それぞれの保持空間は入口部と保持軸で形成されており、その形状が維持されるのであれば、保持空間と保持空間の間のスペースは、多少柔軟であってもよい。即ち、少しは歪む保持プレートであっても、遊びとして面白みが増す。
【００２５】
図１２（ａ）には、半円の保持プレートをさらに半分に切った形状で、８枚が独立して動く保持プレートとしており、それぞれにひとつずつの保持空間と入口部を持つ。この形状により、図１の連結玩具を上回る３Ｄ成形の自由度を持つことができる。
図１２（ｂ）は、保持プレート自体が図案になっている例である。つないで並べて揺らして楽しい。さらに、これら図案は形成後に強く動かすことを前提にデザインしてもよい。例えば高回転すると変化する図案などである。
【００２６】
保持プレートには、配色はもとより、成形体を作る上で必要となる文字や目盛を取り付けておくのもよい。蛍光塗料やＬＥＤ照明機能を取り付けてもよい。また、連結玩具に輪ゴム以外のものと連結できる構造が備わっているのも重宝となる。例えば磁石、吸盤、非伝導体での電源コンセント形状などである。
さらに輪ゴムに関しても、市販の規格サイズの輪ゴムはもとより、強度の強い大型の輪ゴム、色つきの輪ゴムなど、目的にあわせ選択をするとよい。
本発明は、輪ゴムの連結玩具としているが、一般の紐体であっても十分機能するものである。
【００２７】
連結玩具の利用法や効果を説明する。
部屋で輪ゴム連結遊びをする一例を示す。
連結には起点が必要である。まず、柱やカーテンレールもしくはドアノブなどの固定箇所につながった紐体をつくり、その紐体に第一の連結玩具を連結させる。その後は、輪ゴムと第二第三の連結玩具をつないで行き、やがて目的とする終点に辿りつく。終点も起点同様に安定している場所つなぐ。これで、まず全体として一本の連結幹線ができる。部屋全体で数本の連結幹線をつくり、格子戸を目指すのもよい。また、一本目の連結幹線の真ん中あたりから、放射線状に連結幹線を伸ばせば、あたかもクモの巣を張るようなイメージとなる。大枠で連結幹線が出来た後は、思い思いの３Ｄとなるよう、連結玩具や輪ゴムの種類を選択しながら連結してゆく。
【００２８】
幼児には、口に入れる、伸びた輪ゴムが当るなどの安全面からの注意が必要となるが、遊べないほどの危険性はない。高齢者には、遊び方に加え、運動になることを説明するとよい。ひとりで遊ぶ場合でも楽しく、また大勢で大きな成形物を作る時なども、コミュニケーションが図れ、楽しいものとなる。思いのデザインを一気に作り上げても良く、また、連結する都度に考えを巡らせ、徐々に長く時間をかけて成形してゆくのもよい。
【００２９】
空中での輪ゴム連結で注意をしておくとよいことに、バランスがある。連結玩具などの重さによって形状が変化することに加え、連結玩具の安定状態での水平度合いなども見栄えに影響する。連結玩具に取り付けることのできる重さ調節錘を準備しておくのもよい。
成形後は、伸ばして遊ぶもよし、ゆらして眺めるのもよし、回転させて楽しむのもよし、何かを飛ばす、何かに当てるなどのシューティングもよし、インテリアのメモ・写真・小物掛けでもよし、振り子のようなものを取り付けさらなる動きを楽しんでもよし、飽きの来ない連結玩具となる。広い屋外の場所でも、限られた狭い場所でもよい。
【００３０】
本発明は、知育玩具として利用できる。平面的な創作から立体的な創作まで、知育玩具として大変有望である。玩具としての安全性確保も十分可能であり、適当な色を施せば、さらに楽しい玩具となる。多くの子どもでひとつの大きな立体を創作することもでき、コミュニケーションツールとしても役立つ。手や指はもとより、体全体の運動にもなる。
若い世代にはさらに用途の発想は広がる。空想に合わせた創作であり楽しさ間違いなしであるが、創作後の利用幅もある。インテリアとしては、創作立体そのものだけでもインテリアとなるが、取り付けたい小物によるアレンジも可能である。メモやカードなどを取り付けるステーショナリーグッズにもなる。創作後に立体を揺らしたり動かしたりすれば、新しいゲームも可能である。芸術家は創作アートのもととしよう。蛍光塗料・ＬＥＤ照明などを施せば、夜の星空、イルミネーションを醸しだすこともできる。
年配者にとってもうれしい道具となる。創作は大きなものであれば体全体を使うことになり、健康的なものとなる。危なくないため、リハビリ道具としても利用できる。子どもとのコミュニケーションに一役買うことにもなる。成形後の形状を眺めることでいやし空間とすることもできるのである。
【産業上の利用可能性】
【００３１】
本発明に係る環状紐体の連結玩具は工業的に量産することが可能であるため、産業上の利用可能性を有する。
【符号の説明】
【００３２】
１    連結玩具
２    輪ゴム
３    保持プレート
４    保持空間
５    保持軸
６    入口部
７    整列部
８    整列柱材
９    整列余裕空間
１０  整列帯
１１  端の整列柱材
１２  中間の整列柱材
１３  整列帯通路
１４  磁石
１５  突出した入口部先端
１６  片側が二股の入口部先端
１７  突出し片側が二股の入口部先端
１８  凹凸で作られた溝
１９  角度のガイド表示
２０  片側が抉られた形状の入口部先端
【図１】
2015066179.tif 000003
【図２】
2015066179.tif 000004
【図３】
2015066179.tif 000005
【図４】
2015066179.tif 000006
【図５】
2015066179.tif 000007
【図６】
2015066179.tif 000008
【図７】
2015066179.tif 000009
【図８】
2015066179.tif 000010
【図９】
2015066179.tif 000011
【図１０】
2015066179.tif 000012
【図１１】
2015066179.tif 000013
【図１２】
2015066179.tif 000014